(57)【要約】【目的】本発明は、天井部分あるいは箱体の開口部位の開口面積を小さく維持しつつ、スポットライトの照射可能範囲を増大し得るスポットライト用吊下アームを実現することを目的としている。【構成】このため、本体と、本体内に配設される照明用ランプと、照明用ランプからの光を所定の一方向にのみ照射すべく本体の一側に開口させた照明開口部とを有するスポットライトにおいて、スポットライトを上部から吊下支持する吊下アームを設けるとともに、吊下アームは、吊下アームを所定状態に取り付ける上部取付部と、上部取付部の両端から斜め下方に延びる腕部と、各腕部の下端間にスポットライトを角度調整自在に取り付けるスポットライト支持部とを有し、上部取付部による吊下アームの取付状態の変更による腕部の傾斜方向の変更とスポットライト支持部におけるスポットライトの角度調整とによって、スポットライトによる照射方向を変更可能に構成している。【選択図】        図１
2005026100.tif 000002
【特許請求の範囲】
【請求項１】
本体と、この本体内に配設される照明用ランプと、照明用ランプからの光を所定の一方向にのみ照射すべく前記本体の一側に開口させた照明開口部とを有するスポットライトにおいて、このスポットライトを上部から吊下支持する吊下アームを設けるとともに、この吊下アームは、吊下アームを所定状態に取り付ける上部取付部と、この上部取付部の両端から斜め下方に延びる腕部と、各腕部の下端間に前記スポットライトを角度調整自在に取り付けるスポットライト支持部とを有し、前記上部取付部による吊下アームの取付状態の変更による前記腕部の傾斜方向の変更と前記スポットライト支持部におけるスポットライトの角度調整とによって、スポットライトによる照射方向を変更可能に構成したことを特徴とするスポットライト用吊下アーム。
【発明の詳細な説明】
【０００１】
【発明の属する技術分野】
この発明はスポットライト用吊下アームに係り、特に開口部の開口面積の増大に伴う外観の悪化を解消し得るとともに、スポットライトからの十分な照射量を確保することができ、かつスポットライトの照射可能範囲を増大し得るスポットライト用吊下アームに関するものである。
【０００２】
【従来の技術】
照明装置においては、使用箇所によってスタンド方式のものや壁取付方式、天井取付方式のもの等に分類される。
【０００３】
そして、天井取付方式のものにおいても、使用するランプや蛍光灯等の照明器具によって、種々取付方策が異なるものである。
【０００４】
すなわち、ランプを使用する場合としてはスポットライトがあり、蛍光灯を使用する場合には、蛍光灯部分の突出する天井直付けタイプや埋め込み型タイプ等がある。
【０００５】
【特許文献１】
特許第３０６０２８５号公報  （第２−４頁、図１）
【０００６】
【発明が解決しようとする課題】
ところで、従来のスポットライト用吊下アームにおいて、吊下アームが、上部取付部と腕部とスポットライト支持部とからなる場合に、腕部は、上部取付部の両端から真下方向に垂下されている。
【０００７】
そして、この腕部の下端には前記スポットライト支持部を設けている。
【０００８】
このとき、前記スポットライトの照射方向を変更する際には、前記吊下アームのスポットライト支持部によりスポットライトの角度調整を行っている。
【０００９】
前記スポットライトを天井から単に垂下し使用する場合には、スポットライトによる照射方向を変更することは自在に行うことができるため、何ら不具合はない。
【００１０】
しかし、近時、建造物内の見た目を良好とするために、天井部分と面一状態に照明装置を取り付けて照明装置を突出させない埋め込み型が採用される場合もある。
【００１１】
このような埋め込み型の照明装置を採用する場合に、照射目的に応じて照明器具を選択するため、通常の全体を照射する蛍光灯タイプのみでなく、スポットライトタイプの使用も増加している。
【００１２】
そして、この埋め込み型にスポットライトタイプを使用した場合には、スポットライトの傾斜角度を前記吊下アームのスポットライト支持部を利用して変更しても、天井部分あるいは天井に埋め込まれる箱体の下端が遮断壁として機能してしまうため、スポットライトの照射可能範囲が極端に減少しているという不都合がある。
【００１３】
また、前記スポットライトを収容する天井部分あるいは前記箱体の開口部位を拡大させると、遮断壁部分の減少によってスポットライトの照射可能範囲を増大させることは可能であるが、開口部位の開口面積がいたずらに増大してしまい、外観が悪化するという不都合がある。
【００１４】
よって、天井部分あるいは前記箱体の開口部位の開口面積を小さく維持しつつ、スポットライトの照射可能範囲を増大し得るスポットライト用吊下アームの実現が望まれていた。
【００１５】
【課題を解決するための手段】
そこで、この発明は、上述不都合を除去するために、本体と、この本体内に配設される照明用ランプと、照明用ランプからの光を所定の一方向にのみ照射すべく前記本体の一側に開口させた照明開口部とを有するスポットライトにおいて、このスポットライトを上部から吊下支持する吊下アームを設けるとともに、この吊下アームは、吊下アームを所定状態に取り付ける上部取付部と、この上部取付部の両端から斜め下方に延びる腕部と、各腕部の下端間に前記スポットライトを角度調整自在に取り付けるスポットライト支持部とを有し、前記上部取付部による吊下アームの取付状態の変更による前記腕部の傾斜方向の変更と前記スポットライト支持部におけるスポットライトの角度調整とによって、スポットライトによる照射方向を変更可能に構成したことを特徴とする。
【００１６】
【発明の実施の形態】
上述の如く発明したことにより、吊下アームの腕部傾斜方向を調整するとともに、吊下アームのスポットライト支持部におけるスポットライトの角度調整をも行うことによって、スポットライトからの十分な照射量を確保し、かつスポットライトの照射可能範囲を増大している。
【００１７】
【実施例】
以下図面に基づいてこの発明の実施例を詳細に説明する。
【００１８】
図１〜図７はこの発明の実施例を示すものである。図１及び図２において、２はスポットライト、４は吊下アームである。
【００１９】
前記スポットライト２は、図１及び図２に示す如く、本体６と、この本体６内に配設される照明用ランプ（図示せず）と、照明用ランプからの光を所定の一方向にのみ照射すべく前記本体６の一側に開口させた照明開口部８とを有している。
【００２０】
そして、前記スポットライト２を天井１０への埋め込み型に使用した場合について説明すると、天井１０に形成した開口部１２の周縁に枠体１４を取り付け、この枠体１４の上部に無底の箱体１６を取り付ける。
【００２１】
このとき、前記枠体１４は金属製の長尺部材からなる断面Ｌ字形状を有しており、所定の寸法に切断された後に前記開口部１２の天井裏側の支持部材１５に固定される。
【００２２】
この枠体１４上部に取り付けられる前記箱体１６は、上部に長手方向（図２の左右方向）に延びる取付レール１８が配設されるとともに、この取付レール１８の側面部位には、天井裏側に連絡する開口を現出させる開閉機構２０が設けられている。
【００２３】
前記取付レール１８は、図１及び図２に示す如く、断面Ｃ字形状の係合溝部１８−１を有し、この係合溝部１８−１の断面開口部位を下方向に指向させるとともに、取付レール１８に前記吊下アーム４を係合させるために、取付レール１８の端部１８ａを前記箱体１６の側面から離間させて設けている。
【００２４】
また、前記開閉機構２０は、前記箱体１６の側面に対して上下方向に移動可能な移動板部２０−１と、この移動板部２０−１を箱体１６の側面に固定する固定具２０−２とからなる。
【００２５】
更に、前記吊下アーム４は、前記スポットライト２を上部から吊下支持するものであり、この吊下アーム４は、図３〜図６に示す如く、前記取付レール１８に吊下アーム４を所定状態に取り付ける上部取付部２２と、この上部取付部２２の両端から斜め下方に延びる一対の第１、第２腕部２４、２６と、一対の第１、第２腕部２４、２６の下端間に前記スポットライト２を角度調整自在に取り付ける第１、第２スポットライト支持部２８、３０とを有する。
【００２６】
詳述すれば、前記吊下アーム４の上部取付部２２は、図３〜図６に示す如く、板状部材からなる水平板部２２−１を設け、この水平板部２２−１の上部中心部位において、前記取付レール１８の係合溝部１８−１に係合させるためのフランジ状の係合部２２−２を設け、この係合部２２−２と前記水平板部２２−１とを中心部位において上下方向に貫通する貫通孔部２２−３を設けるとともに、この貫通孔部２２−３を利用して前記取付レール１８に前記吊下アーム４を所定状態に取り付ける取付ネジ２２−４を設ける。
【００２７】
また、前記吊下アーム４の一対の第１、第２腕部２４、２６は、図３〜図６に示す如く、上部取付部２２の両端から所定角度、例えば４９度で斜め下方に延びるものであり、図４に示す如く、下方位置に向かって漸次幅寸法を小とすべく形成する。
【００２８】
更に、一対の第１、第２腕部２４、２６を軽量化するために、図４に示す如く、肉抜き部３２を複数箇所設けるとともに、一対の第１、第２腕部２４、２６の強度を向上させるために、図４及び図５に示す如く、一対の第１、第２腕部２４、２６の縁部には第１、第２腕部２４、２６の厚み方向の一方に延びる補強リブ３４を設ける。
【００２９】
更にまた、第１、第２スポットライト支持部２８、３０は、断面Ｃ字状に形成し、開口部位を横方向に指向させ、前記スポットライト２の係脱を容易とするとともに、図示しない固定用支持具を利用してスポットライト２の角度調整を可能としている。
【００３０】
そして、前記上部取付部２２による吊下アーム４の取付状態の変更による前記一対の第１、第２腕部２４、２６の傾斜方向の変更と、前記第１、第２スポットライト支持部２８、３０におけるスポットライト２の角度調整とによって、スポットライト２による照射方向を変更可能に構成している。
【００３１】
つまり、図１に１点鎖線で示す如く、前記スポットライト２の中心線Ｃ１を垂直線Ｃ２に対して所定角度、例えば４５度だけ傾斜させた状態とすることが可能となるものである。
【００３２】
次に作用を説明する。
【００３３】
先ず、前記スポットライト２には、前記吊下アーム４の第１、第２スポットライト支持部２８、３０を取り付けて、一対の第１、第２腕部２４、２６の下端間に前記スポットライト２を位置させる。
【００３４】
前記スポットライト２を天井１０への埋め込み型とする場合には、図１及び図２に示す如く、天井１０に形成した開口部１２の周縁に枠体１４を取り付け、この枠体１４の上部に箱体１６を取り付ける。
【００３５】
そして、箱体１６上部に配設される取付レール１８には、取付レール１８の端部１８ａの隙間を利用して前記スポットライト２を取り付ける。
【００３６】
つまり、取付レール１８に形成される断面Ｃ字形状の係合溝部１８−１に前記吊下アーム４の上部取付部２２に形成したフランジ状の係合部２２−２を係合させ、取付ネジ２２−４を利用して取り付ける。
【００３７】
このとき、前記取付レール１８が長手方向（図２の左右方向）に延びており、取付レール１８の長さ寸法に応じて複数個の前記スポットライト２及び前記吊下アーム４を取り付けることが可能である。
【００３８】
また、前記吊下アーム４を取り付ける際には、取付ネジ２２−４によって取り付ける前に、吊下アーム４の一対の第１、第２腕部２４、２６の傾斜方向を調整することとなる（図１の２点鎖線参照）。
【００３９】
更に、前記吊下アーム４の第１、第２スポットライト支持部２８、３０におけるスポットライト２の角度調整をも行い、スポットライト２による照射方向を任意に設定する。
【００４０】
ここで、スポットライト２による照射可能範囲について説明すると、通常、スポットライト２の照明開口部８の寸法分の照射量がある。なお、この照射量においては、スポットライト２内の反射板等の機能によって収束、あるいは拡散、つまり照射方向に指向するに従って拡大する場合も考えられるが、説明の便宜のために、収束・拡大状況を排除した状態で説明する。
【００４１】
図７に１点鎖線で示す如く、従来のスポットライト１０２を真下にアーム１０４によって垂下する場合には、スポットライト１０２の角度調整のみが可能となり、枠体１４が遮断壁として機能するため、この枠体１４を回避する状態とすると、図７に２点破線で示す如き照射状態となり、スポットライト１０２の照射可能範囲がＳ１となる。
【００４２】
これに対して、図７に実線で示す如く、スポットライト２を前記吊下アーム４によって吊下すると、前記吊下アーム４の一対の第１、第２腕部２４、２６の傾斜方向の調整と、吊下アーム４の第１、第２スポットライト支持部２８、３０におけるスポットライト２の角度調整とが可能であるため、前記枠体１４を回避する状態とすると、図７に破線で示す如き照射状態となり、スポットライト２の照射可能範囲がＳ１よりも大なるＳ２となる。
【００４３】
よって、図７に示す如く、前記吊下アーム４の一対の第１、第２腕部２４、２６の傾斜方向を調整するとともに、吊下アーム４の第１、第２スポットライト支持部２８、３０におけるスポットライト２の角度調整をも行うと、枠体１４を避けた状態で照射することが可能となり、枠体１４が遮断壁として機能せず、スポットライト２の照射可能範囲が増大する。このスポットライト２の照射可能範囲の立体的な形状は、前記枠体１４を区切り部分とする鼓形状となる。
【００４４】
これにより、前記吊下アーム４の一対の第１、第２腕部２４、２６の傾斜方向を調整するとともに、吊下アーム４の第１、第２スポットライト支持部２８、３０におけるスポットライト２の角度調整をも行うことによって、前記枠体１４による開口部１２の開口面積を小さく維持することができ、開口部１２の開口面積がいたずらに増大することがなく、外観が悪化するという不具合を解消し得るとともに、スポットライト２からの十分な照射量を確保することができ、かつスポットライト２の照射可能範囲を増大し得て、実用上有利である。
【００４５】
また、前記吊下アーム４に上部取付部２２の両端から斜め下方に延びる一対の第１、第２腕部２４、２６を設けるのみで対処し得ることにより、構成が複雑化することがなく、製作が容易で、コストを低廉に維持し得て、経済的にも有利である。
【００４６】
なお、この発明は上述実施例に限定されるものではなく、種々の応用改変が可能である。
【００４７】
例えば、この発明の実施例においては、前記吊下アームを、吊下アームを所定状態に取り付ける上部取付部と、この上部取付部の両端から斜め下方に延びる一対の第１、第２腕部と、一対の第１、第２腕部の下端間に前記スポットライトを角度調整自在に取り付ける第１、第２スポットライト支持部とを有する構成としたが、第１、第２腕部を伸縮自在とする特別構成とすることも可能である。
【００４８】
すなわち、前記吊下アームの第１、第２腕部を、例えば複数の部材をスライド移動可能とした伸縮自在構造とし、必要に応じて第１、第２腕部を伸縮させるものである。
【００４９】
さすれば、伸縮自在な第１、第２腕部によって、スポットライトの照射可能範囲をより一層増大させることができ、スポットライトによる照射を効率良く果たし得るものである。
【００５０】
【発明の効果】
以上詳細に説明した如くこの本発明によれば、本体と、本体内に配設される照明用ランプと、照明用ランプからの光を所定の一方向にのみ照射すべく本体の一側に開口させた照明開口部とを有するスポットライトにおいて、スポットライトを上部から吊下支持する吊下アームを設けるとともに、吊下アームは、吊下アームを所定状態に取り付ける上部取付部と、上部取付部の両端から斜め下方に延びる腕部と、各腕部の下端間にスポットライトを角度調整自在に取り付けるスポットライト支持部とを有し、上部取付部による吊下アームの取付状態の変更による腕部の傾斜方向の変更とスポットライト支持部におけるスポットライトの角度調整とによって、スポットライトによる照射範囲を変更可能に構成したので、前記吊下アームの腕部傾斜方向を調整するとともに、吊下アームのスポットライト支持部におけるスポットライトの角度調整をも行うことによって、枠体を使用した際の開口部の開口面積を小さく維持することができ、開口部の開口面積がいたずらに増大することがなく、外観が悪化するという不具合を解消し得るとともに、スポットライトからの十分な照射量を確保することができ、かつスポットライトの照射可能範囲を増大し得て、実用上有利である。
【図面の簡単な説明】
【図１】この発明の実施例を示すスポットライトを天井への埋め込み型とした場合の概略正面図である。
【図２】スポットライトを天井への埋め込み型とした場合の概略右側面図である。
【図３】スポットライト用吊下アームの正面図である。
【図４】スポットライト用吊下アームの左側面図である。
【図５】図４のＶ−Ｖ線による断面図である。
【図６】スポットライト用吊下アームの平面図である。
【図７】スポットライトの照射可能範囲を示す概略説明図である。
【符号の説明】
２  スポットライト
４  吊下アーム
６  本体
８  照明開口部
１０  天井
１２  開口部
１４  枠体
１６  箱体
１８  取付レール
１８ａ  端部
１８−１  係合溝部
２０  開閉機構
２０−１  移動板部
２０−２  固定具
２２  上部取付部
２２−１  水平板部
２２−２  係合部
２２−３  貫通孔部
２２−４  取付ネジ
２４  第１腕部
２６  第２腕部
２８  第１スポットライト支持部
３０  第２スポットライト支持部
３２  肉抜き部
３４  補強リブ
【図１】
2005026100.tif 000003
【図２】
2005026100.tif 000004
【図３】
2005026100.tif 000005
【図４】
2005026100.tif 000006
【図５】
2005026100.tif 000007
【図６】
2005026100.tif 000008
【図７】
2005026100.tif 000009
【手続補正書】
【提出日】平成15年7月14日(2003.7.14)
【手続補正１】
【補正対象書類名】図面
【補正対象項目名】全図
【補正方法】変更
【補正の内容】
【図１】
2005026100.tif 000010
【図２】
2005026100.tif 000011
【図３】
2005026100.tif 000012
【図４】
2005026100.tif 000013
【図５】
2005026100.tif 000014
【図６】
2005026100.tif 000015
【図７】
2005026100.tif 000016